(57)【特許請求の範囲】
【請求項１】
矩形窓開口を有する構造躯体の外側面に外壁が装着され、該外壁の側縁は該構造躯体の窓開口規定縁よりも該窓開口から離隔する方向に後退せしめられている建造物のための、上横枠部材及び下横枠部材並びに両側縦枠部材から構成された矩形状の窓枠にして、
該上横枠部材及び該下横枠部材並びに該両側縦枠部材は、合成樹脂製であり且つ横断面形状は同一であり、該上横枠部材の両端は該両側縦枠部材の上端に溶着され、該下横枠部材の両端は該両側縦枠部材の下端に溶着されており、
該上横枠部材及び該下横枠部材並びに該両側縦枠部材の各々は、該窓開口内に位置せしめられる主部及び該主部と一体に形成され且つ該主部から該外壁の該側縁に向かって突出するが該外壁の該側縁よりも該窓開口よりに位置する連結部を具備し、該連結部が該構造躯体の外側面に着脱自在に連結されおり、
該連結部は外壁部、該構造躯体の外側面に沿って延在する内壁部及び該外壁の該側縁に沿って延在する片側壁部を有する中空体であり、該上横枠部材と該両側縦枠部材との少なくとも１個の該連結部における該片側壁部及び／又は該外壁部には少なくとも１個の通気口が形成され、該下横枠部材の該連結部における該片側壁部及び／又は該外壁部下端には少なくとも１個の排水口が形成されている、ことを特徴とする窓枠。
【発明の詳細な説明】
【技術分野】
【０００１】
本発明は、建造物のための窓枠、更に詳しくは矩形窓開口を有する構造躯体の外側面に外壁が装着され、外壁の側縁は構造躯体の窓開口規定縁よりも該窓開口から離隔する方向に後退せしめられている建造物のための、外壁を全く破壊することなく交換可能な窓枠に関する。
【背景技術】
【０００２】
建造物のための窓枠として、相互に連結された上横枠部材及び下横枠部材並びに両側縦枠部材から構成された矩形状の窓枠が広く実用に供されている。かような窓枠においては、一般に、上横枠部材及び下横枠部材並びに両側縦枠部材の各々には、構造躯体の外側面とこの構造躯体の外側に配設された外壁の内面との間に延出する連結片が形成されており、この連結片を構造躯体に連結することによって構造躯体に装着される。従って、窓枠の劣化等に起因して窓枠を交換する場合には、構造躯体からの窓枠の離脱が外壁によって阻害される故に、外壁を少なくとも部分的に破壊することが必要である。
【０００３】
然るに、下記特許文献１には、窓枠とは別個に形成したモール枠によって窓枠を囲繞し、窓枠の上横枠部材及び下横枠部材並びに両側縦枠部材の各々の連結片をモール枠によって覆う形態のサッシ構造が開示されている。このサッシ構造においては、モール枠は外壁の側縁よりも窓枠側に位置し、窓枠の上横枠部材及び下横枠部材並びに両側縦枠部材の各々の連結片はモール枠には覆われているが、外壁には覆われていない。従って、窓枠を交換する際には、構造躯体に連結されたモール枠を構造躯体から離脱せしめれば、外壁を破壊することなく窓枠を構造躯体から離脱することができる。
【先行技術文献】
【特許文献】
【０００４】
【特許文献１】特開平１１−１４８２７３号公報
【発明の概要】
【発明が解決しようとする課題】
【０００５】
而して、上記特許文献１に開示されているサッシ構造も未だ充分に満足し得るものではなく、（１）窓枠とは別個にモール枠を形成することが必要であり、製造コストが高価になる、（２）窓枠を構造躯体に連結することに加えて、モール枠を窓枠或いは構造躯体に連結することが必要であり、窓枠の取り付け作業が煩雑である、（３）窓枠とモール枠との連結部等に雨水が浸水した場合、浸水した雨水が排出されることなく滞留し、滞留雨水が建造物内に浸水してしまう虞がある、という解決すべき問題を有する。
【０００６】
本発明は上記事実に鑑みてなされたものであり、その主たる技術的課題は、別個に形成されるモール枠を必要とすることなく、従って比較的安価に製造し且つ窓枠の取り付け作業も比較的簡潔であるにも拘わらず、外壁を破壊することなく交換することができると共に、窓枠に一体に付設された連結部に浸水した雨水も滞留することなく適宜に排水される、新規且つ改良された窓枠を提供することである。
【課題を解決するための手段】
【０００８】
本発明によれば、上記主たる技術的課題を達成する窓枠として、矩形窓開口を有する構造躯体の外側面に外壁が装着され、該外壁の側縁は該構造躯体の窓開口規定縁よりも該窓開口から離隔する方向に後退せしめられている建造物のための、上横枠部材及び下横枠部材並びに両側縦枠部材から構成された矩形状の窓枠にして、
該上横枠部材及び該下横枠部材並びに該両側縦枠部材は、合成樹脂製であり且つ横断面形状は同一であり、該上横枠部材の両端は該両側縦枠部材の上端に溶着され、該下横枠部材の両端は該両側縦枠部材の下端に溶着されており、
該上横枠部材及び該下横枠部材並びに該両側縦枠部材の各々は、該窓開口内に位置せしめられる主部及び該主部と一体に形成され且つ該主部から該外壁の該側縁に向かって突出するが該外壁の該側縁よりも該窓開口よりに位置する連結部を具備し、該連結部が該構造躯体の外側面に着脱自在に連結されおり、
該連結部は外壁部、該構造躯体の外側面に沿って延在する内壁部及び該外壁の該側縁に沿って延在する片側壁部を有する中空体であり、該上横枠部材と該両側縦枠部材との少なくとも１個の該連結部における該片側壁部及び／又は該外壁部には少なくとも１個の通気口が形成され、該下横枠部材の該連結部における該片側壁部及び／又は該外壁部下端には少なくとも１個の排水口が形成されている、ことを特徴とする窓枠が提供される。
【発明の効果】
【００１０】
本発明に従って構成された窓枠においては、窓枠の主部と連結部とは一体に形成されており、従って比較的安価に製造することができ且つ窓枠取り付け作業は比較的簡潔であるにも拘らず、上横枠部材及び下横枠部材並びに両側縦枠部材の各々に形成され構造躯体に連結される連結部は、主部から外壁の側縁に向かって突出するが外壁の側縁よりも窓開口よりに位置する故に、外壁を破壊することなく窓枠を交換することができる。そしてまた、連結部は外壁部、構造躯体の外側面に沿って延在する内壁部及び外壁の側縁に沿って延在する片側壁部を有する中空体であり、上横枠部材と両側縦枠部材との少なくとも１個の連結部における片側壁部及び／又は外壁部には少なくとも１個の通気口が形成され、下横枠部材の連結部における片側壁部及び／又は外壁部下端には少なくとも１個の排水口が形成されている故に、通気口の存在によって中空体である連結部内が負圧状態になることが効果的に回避され、中空体である連結部に浸水した雨水も滞留することなく排水口から適宜に排水される。
【００１１】
該連結部は外壁部、該構造躯体の外側面に沿って延在する内壁部及び該外壁の該側縁に沿って延在する片側壁部を有する中空体であり、該上横枠部材と該両側縦枠部材との少なくとも１個の該片側壁部及び／又は外壁部には少なくとも１個の通気口が形成され、該下横枠部材の該片側壁部及び／又は外壁部には少なくとも１個の排水口が形成されている形態においては、通気口の存在によって中空体である連結部内が負圧状態になることが効果的に回避され、中空体である連結部に浸水した雨水は滞留することなく排水口から適宜に排水される。
【図面の簡単な説明】
【００１２】
【図１】本発明に従って構成された窓枠が装着されている建造物の簡略部分正面図。
【図２】図１における線II−IIにおける断面図。
【図３】図１における線III−IIIにおける断面図。
【図４】シール手段の変形例を示す部分断面図。
【発明を実施するための形態】
【００１３】
以下、本発明に従って構成された窓枠の好適実施形態を示す添付図面を参照して、更に詳細に説明する。
【００１４】
図１を参照して説明すると、本発明に従って構成された窓枠２は、実質上水平に延在する上横枠部材４及び実質上水平に延在する下横枠部材６並びに実質上鉛直に延在する両側縦枠部材８及び１０（即ち右側縦枠部材８及び左側縦枠部材１０）から構成されている。上横枠部材４及び下横枠部材６並びに両側縦枠部材８及び１０は、硬質塩化ビニル樹脂或いはＡＢＳ樹脂の如き適宜の合成樹脂を押出成型することによって形成された細長中空部材を適宜に切断することによって好都合に形成することができる。上横枠部材４及び下横枠部材６並びに両側縦枠部材８及び１０の各々の横断面形状は同一である。上横枠部材４及び下横枠部材６並びに両側縦枠部材８及び１０の各々の両端は４５度の傾斜端縁に切断されており、上横枠部材４の両端は両側縦枠部材８及び１０の上端に、下横枠部材６の両端は両側縦枠部材８及び１０の下端に、夫々、溶着され、かくして矩形状の窓枠２が構成されている。窓枠２内には、引き違い窓、はめ殺し窓、外開き窓、上げ下げ窓或いは辷り出し窓等の適宜の形式の窓（図示していない）が配設される。
【００１５】
窓枠２を構成する上横枠部材４及び下横枠部材６並びに両側縦枠部材８及び１０について詳細に説明するのに先立って、窓枠２が装着される建造物について、図２及び図３を参照して説明すると、図示の実施例においては、建造物の構造躯体１２は内側から外側に向けて順次に積層された石膏ボード１４、木材１６及び構造用合板１８から構成されている。かかる構造躯体１２には矩形状の窓開口２０が形成されている。構造躯体１２の、窓開口２０を規定している側縁部には断面が略Ｌ字形状である木製額縁２２が接着等の適宜の様式によって固定されている。構造躯体１２の外面にはスペーサ部材２４を介して外壁２６が固定されている。スペーサ部材２４及び外壁２６の側縁は、構造躯体１２の上記側縁よりも窓開口２０から離隔する方向に所要寸法だけ後退せしめられている。而して、建造物の上述したとおりの構造は当業者には周知のものであるので、その詳細な説明は本明細書においては省略する。
【００１６】
図１と共に図２及び図３を参照して窓枠２を構成する上横枠部材４及び下横枠部材６並びに両側縦枠部材８及び１０について詳細に説明すると、上横枠部材４及び下横枠部材６並びに両側縦枠部材８及び１０の各々は、主部２８に加えてこの主部２８と一体に形成された連結部３０を具備することが重要である。それ自体は周知の形態でよい主部２８は、窓を装着するのに適した中空形状部３２と共に内側（室内側）に延出する連結片３４を有する。この連結片には長手方向（即ち紙面に垂直な方向）に適宜の間隔をおいて複数個の孔が形成されている。
【００１７】
上記連結部３０は、構造躯体１２の外面に沿って延在せしめられる平坦な内壁部３６、外壁２６の側縁に沿って延在せしめられる片側壁部３８と共に外壁部４０を有する。外壁部４０の幅方向中央部にはチャンネル状の溝４２が形成されている。溝４２の底面には長手方向（即ち紙面に垂直な方向）に適宜の間隔をおいて複数個の孔が形成ており、そしてまた内壁部３６にも対応して複数個の孔が形成されている。溝４２の底面と内壁部３６との間には、長手方向（図面に垂直な方向）に平行に延在する一対の補強壁部４４が形成されている。溝４２の底面及び内壁部３６に形成されている上記孔各々は補強壁部４４内に位置せしめられている。
【００１８】
図２及び図３を参照して説明を続けると、窓枠２を構成する上横枠部材４及び下横枠部材６並びに両側縦枠部材８及び１０は、その主部２８を構造躯体１２の窓開口２０内に位置せしめ、その連結部３０を構造躯体１２の外面に沿って窓開口２０から突出せしめるが外壁２６の側縁よりも窓開口２０寄りに位置せしめて、構造躯体１２に固定される。更に詳しくは、主部２８の連結片３４を上記額縁２２の側面上端部上に位置せしめ、連結部３０の内壁部３６を構造躯体１２の外面上に位置せしめる。そして、主部２８の連結片３４に形成されている上記孔を通して額縁２２に止めねじ４６を締結し、連結部３０の溝４２の底面と内壁部３６とに形成されている上記孔を通して止めねじ４８を構造躯体１２に締結することによって、構造躯体１２に固定される。主部２８の連結片３４には合成樹脂製でよいカバー部材５０が弾性的に係合せしめられて止めねじ４６が被覆され、連結部３０の溝４２にも同様に合成樹脂製でよいカバー部材５２が弾性的に係合せしめられて止めねじ４８が被覆される。
【００１９】
図２及び図３に図示する如く、上横枠部材４、下横枠部材６並びに両側枠縦部材８及び１０の各々において、連結部３０の内壁部３６と構造躯体１２との間にはシール手段５４が配設されている。かかるシール手段５４は、例えば発砲塩ビ系止水材等を挟み込んだシール片から構成することができる。また、連結部３０と外壁２６との間にもシール手段５６が配設されている。かかるシール手段５６は、例えば変成シリコーン系又はポリウレタン系シーリング材を充填して固化せしめたものでよい。
【００２０】
図４には、上横枠部材４及び下横枠部材６におけるシール手段の変形例が図示されている。かかる変形例におけるシール手段５５は、連結部３０の片側壁部３８に固着された合成ゴム製シール部材５７及びこのシール部材５７に固着された金属製水切り材５９から構成されている。水切り材５９は、連結部３０の片側壁部３８に沿って延び、次いでスペーサ部材２４と構造躯体１２との間に（上横枠部材４の場合）或いは連結部３０の内壁部３６と構造躯体１２との間に（下横枠部材６の場合）延出している。連結部３０の片側壁部３８と水切り材５９との間には空隙が残留せしめられている。また、図４に図示する変形例においては、排水口６２は連結部３０の片側壁部３８の幅方向中央部に配設されている。
【００２１】
図３及び図４に明確に図示する如く、図示の実施形態においては、上横枠部材６の連結部３０における片側壁部３８の内側端部には、円形或いは矩形でよい少なくとも１個の通気口６０が形成されている。所望ならば、片側壁部３８に代えて或いはこれに加えて外壁部４０に通気口６０を形成することもできる。また、上横枠部材６の連結部３０に通気口６０を形成することに代えて、両側縦枠部材８及び１０の一方或いは両方に通気口６０を形成することもできる。一方、下横枠部材８の連結部３０における片側壁部３８の外側端ン部乃至外壁部４０の下端部には円形或いは矩形でよい少なくとも１個の排水口６２が形成されている。所望ならば、長手方向（即ち紙面に垂直な方向）に間隔をおいて複数個の通気口６０及び排水口６２を形成することもできる。上記のとおりの通気口６０及び排水口６２が形成されている形態の窓枠２においては、例えば窓枠２に沿って風が通過する等によって連結部３０内が負圧にせしめられることが通気口６０の存在によって確実に回避され、そして例えば連結部３０の外壁部４０とカバー５２との間及び止めねじ４８の周りを通って連結部３０内に水が進入したとしても、進入した水は上横枠部材４並びに両横枠部材８及び１０から下横枠部材６に流動し、排出口６２から外部へ排出される。
【００２２】
上述したとおりの本発明に従って構成された窓枠２においては、劣化した窓枠２を新しい窓枠２に交換する際には、外壁２６を破損する必要がまったくなく、カバー部材５０及び５２を離脱せしめて止めねじ４６及び４８を離脱せしめるだけで、構造躯体１２から窓枠２を離脱せしめることはできる。新しい窓枠２は上述したとおりの手順で装着することができる。
【符号の説明】
【００２３】
２：窓枠
４：上横枠部材
６：下横枠部材
８：縦枠部材
１０：縦枠部材
１２：構造躯体
２０：窓開口
２６：外壁
２８：主部
３０：連結部
３６：連結部の内壁部
３８：連結部の片側壁部
４０：連結部の外壁部
６０：通気口
６２：排水口
【図１】
0006543021.tif 000002
【図２】
0006543021.tif 000003
【図３】
0006543021.tif 000004
【図４】
0006543021.tif 000005